(57)【要約】【課題】保持部材に保持された回路基板に対する通信線の着脱交換を容易に行うことのできる画像読取装置を提供する。【解決手段】センサーユニット３０は、読取面３０Ａを有するセンサーモジュール３１と、センサーモジュール３１における読取面３０Ａとは反対側の面である裏面を支持するフレーム３２と、フレーム３２に連結され、通信線が接続される回路基板３９を保持する保持部材３３と、保持部材３３をフレーム３２に固定する固定部材３４とを有し、固定部材３４は、センサーモジュール３１の読取面３０Ａと垂直な方向から視た場合、センサーモジュール３１とフレーム３２とが重なる位置から外れた位置に配置されている。【選択図】図３
2020057865.tif 000002
【特許請求の範囲】
【請求項１】
センサーユニットと、
前記センサーユニットを移動可能に支持する支持部材と
を備え、
前記センサーユニットは、
媒体の画像を読み取る読取面を有するセンサーモジュールと、
前記センサーモジュールにおける前記読取面とは反対側の面である裏面を支持するフレームと、
通信線が接続される回路基板を保持する保持部材と、
前記保持部材を前記フレームに固定する固定部材と
を有し、
前記固定部材は、前記センサーモジュールの前記読取面と垂直な方向から視た場合、前記センサーモジュールと前記フレームとが重なる位置から外れた位置に配置されている
ことを特徴とする画像読取装置。
【請求項２】
前記センサーモジュールは、前記センサーユニットの移動方向と交差する方向に長く延びており、
前記固定部材は、前記センサーモジュールの前記読取面と垂直な方向から視た場合、前記センサーモジュールの長手方向において前記センサーモジュールから外れた位置に配置されている
請求項１に記載の画像読取装置。
【請求項３】
前記固定部材は、前記センサーユニットが前記支持部材に支持された状態で、前記読取面と垂直な方向から固定及び解除が可能である
請求項１または請求項２に記載の画像読取装置。
【請求項４】
前記保持部材は、前記センサーユニットの移動方向と交差する方向に長く延びており、
前記保持部材の長手方向の第１の端部は、前記固定部材が固定される被固定部を有し、
前記保持部材の長手方向の第２の端部は、前記フレームにおける前記センサーモジュールを保持する保持面とは反対側の面である裏面に対して前記保持部材の長手方向に係合する係合部を有する
請求項１〜３のいずれか一項に記載の画像読取装置。
【請求項５】
前記回路基板は、前記フレームと前記保持部材との間に配置され、前記通信線が接続される接続部を有し、
前記接続部は、前記センサーモジュールの前記読取面と垂直な方向から視た場合、前記センサーモジュール及び前記フレームと重なる位置に配置されている
請求項１〜４のいずれか一項に記載の画像読取装置。
【請求項６】
前記通信線は、前記保持部材の外側に導出した導出部を有し、
前記導出部は、前記センサーユニットの移動方向に沿う第１の方向に延びる第１の部位と、前記第１の部位に接続されて前記第１の方向とは反対側の第２の方向に向けて湾曲する第２の部位と、前記第２の部位に接続されて前記第２の方向に延びる第３の部位とを含む
請求項５に記載の画像読取装置。
【請求項７】
前記保持部材は、前記通信線の前記導出部を導出する導出口を有し、
前記導出口は、前記センサーユニットの移動方向における中心位置よりも前記第２の方向側の位置に配置されている
請求項６に記載の画像読取装置。
【請求項８】
前記保持部材は、前記導出口から導出された前記通信線の前記導出部を下方から支持する支持部を有し、
前記支持部は、前記センサーユニットの移動方向における中心位置から所定距離の範囲内となる位置まで延びている
請求項７に記載の画像読取装置。
【請求項９】
媒体の画像を読み取る読取面を有するセンサーモジュールと、
前記センサーモジュールにおける前記読取面とは反対側の面である裏面を支持するフレームと、
通信線が接続される回路基板を保持する保持部材と、
前記保持部材を前記フレームに固定する固定部材と
を有し、
前記固定部材は、前記センサーモジュールの前記読取面と垂直な方向から視た場合、前記センサーモジュールと前記フレームとが重なる位置から外れた位置に配置されている
ことを特徴とするセンサーユニット。
【発明の詳細な説明】
【技術分野】
【０００１】
本発明は、画像読取装置及びセンサーユニットに関する。
【背景技術】
【０００２】
例えば特許文献１に記載の画像形成装置は、媒体に画像を印刷する印刷機能と、媒体の画像を読み取って画像データを生成する画像読取機能とを有している。この装置は、原稿台に載置された媒体の画像を読み取る、所謂フラットベッド型の装置であって、読取ユニットを搭載した走行体と、画像形成装置に設けられた回路基板とがＦＦＣ（フレキシブルフラットケーブル）を介して接続されている。そして、回路基板が走行体に制御信号を送信することにより、走行体に搭載された画像読取ユニットを主走査方向に移動させ、原稿台に載置された媒体を読み取る。
【先行技術文献】
【特許文献】
【０００３】
【特許文献１】特開２０１４−９９７１０号公報
【発明の概要】
【発明が解決しようとする課題】
【０００４】
ところで、上記文献に記載の装置では、走行体における画像読取ユニットが搭載された面の裏面側からＦＦＣが接続されている。また、走行体に対するＦＦＣの接続位置は、平面視において画像読取ユニットと重なっている。そのため、走行体に対するＦＦＣの着脱交換を行うときには、画像形成装置から画像読取ユニット及び走行体を取り外す必要があり、ＦＦＣの交換作業を容易にする上でなお改善の余地を残していた。
【課題を解決するための手段】
【０００５】
本願の画像読取装置は、センサーユニットと、前記センサーユニットを移動可能に支持する支持部材とを備え、前記センサーユニットは、媒体の画像を読み取る読取面を有するセンサーモジュールと、前記センサーモジュールにおける前記読取面とは反対側の面である裏面を支持するフレームと、通信線が接続される回路基板を保持する保持部材と、前記保持部材を前記フレームに固定する固定部材とを有し、前記固定部材は、前記センサーモジュールの前記読取面と垂直な方向から視た場合、前記センサーモジュールと前記フレームとが重なる位置から外れた位置に配置されていることを特徴とする。
【図面の簡単な説明】
【０００６】
【図１】画像読取装置の一実施の形態の斜視図。
【図２】画像読取装置の内部構成を示す平面図。
【図３】センサーユニットの分解斜視図。
【図４】センサーユニットの破断断面図。
【図５】センサーユニットの平面図。
【図６】センサーユニットの斜視図。
【図７】保持部材の斜視図。
【図８】センサーユニットの側面図。
【図９】比較例のセンサーユニットの作用を説明するための模式図。
【図１０】比較例のセンサーユニットの作用を説明するための模式図。
【図１１】センサーユニットの一実施の形態の作用を説明するための模式図。
【図１２】センサーユニットの一実施の形態の作用を説明するための模式図。
【発明を実施するための形態】
【０００７】
以下、画像読取装置の一実施の形態を、図面を参照して説明する。画像読取装置は、例えばスキャナー装置を備えた複合機である。
【０００８】
図１に示すように、複合機１１は、用紙などの媒体に印刷を行う印刷装置１２と、印刷装置１２の上方に配置され、原稿を読み取り可能なスキャナー装置１３とを備える。複合機１１は、スキャン、コピー及び印刷の機能を備える。
【０００９】
複合機１１は、略直方体状の外装体１４を備える。外装体１４の側面のうち複合機１１に対する操作を行う正面には、複合機１１を操作するための操作部１５が設けられている。操作部１５の下側には、媒体１６が排出される排出トレイ１７と、媒体１６を収容可能な媒体収容体１８とが配置されている。
【００１０】
図面では、複合機１１が水平面上に置かれているものとして重力の方向をＺ軸で示し、Ｚ軸と交差する面に沿う方向をＸ軸及びＹ軸で示す。Ｘ軸、Ｙ軸、及びＺ軸が互いに直交する場合、Ｘ軸とＹ軸は水平面に沿う。以下の説明では、Ｘ軸が指す方向を幅方向Ｘ、Ｙ軸が指す方向を奥行方向Ｙ、Ｚ軸が指す方向を鉛直方向Ｚともいう。
【００１１】
図２に示すように、スキャナー装置１３は、原稿を載置可能なフラットベッド型の原稿台２１を上部に有する本体２２と、原稿台２１に対して開閉可能な原稿台カバー２３（図１参照）とを備えている。原稿台カバー２３は、原稿台２１に載置された原稿を押さえる閉位置と、原稿台２１に原稿をセットしたり読み取り後の原稿を取り除いたりする際の開状態とに回動可能である。そして、本例では、原稿台カバー２３の図１では上側となる背面側には、セットされた複数枚の原稿を自動で１枚ずつ搬送する原稿搬送部２４（図１参照）が装備されている。原稿搬送部２４は、複数枚の原稿をセット可能な載置台２５（図１参照）を備え、載置台２５上の原稿を一枚ずつ搬送する。原稿搬送部２４は、載置台２５上の原稿を読取位置まで送り込む給送と、画像が読み取られた後の原稿を送り出す排出とを含む搬送を行う。画像読み取り後の原稿は、例えば載置台２５と原稿台カバー２３との間の排出領域に排出される。
【００１２】
スキャナー装置１３の本体２２は、原稿台カバー２３と対向する部分に開口部２６を有している。本体２２の開口部２６には支持部２６Ａが設けられている。支持部２６Ａの上方には、四角板状のガラス板２７が支持されることにより原稿台２１が形成されている。原稿台２１のガラス板２７は、フラットベッド方式で読み取られる原稿が載置される領域であり、スキャナー装置１３が読取可能な最大原稿サイズよりも若干広いサイズを有している。支持部２６Ａにおけるセンサーユニット３０の移動方向の端部には切り欠き部２６ａが形成されている。そして、センサーユニット３０が移動方向の端部に位置するホームポジションに配置された状態で、後述する固定部材３４が切り欠き部２６ａを通じて鉛直方向Ｚの上方に露出している。
【００１３】
本体２２の内部には、センサーユニット３０と、センサーユニット３０を副走査方向に移動させる支持部材５０とが設けられている。センサーユニット３０の上面は、主走査方向に沿って長く延びる読取面３０Ａとなっている。本例では、主走査方向と奥行方向Ｙとが一致するとともに、副走査方向と幅方向Ｘとが一致する。
【００１４】
センサーユニット３０は、副走査方向に移動して原稿の画像を読み取る。センサーユニット３０は、長手方向である主走査方向に原稿の想定最大幅以上の長さを有する。一例として、センサーユニット３０の長さは、原稿の想定最大幅である例えばＡ３サイズ又はＡ４サイズよりも若干長い値に設定されている。
【００１５】
センサーユニット３０は、本体２２に収容された制御部６０に対して第１のフレキシブルフラットケーブル７０Ａ及び第２のフレキシブルフラットケーブル７０Ｂを介して電気的に接続されている。第１のフレキシブルフラットケーブル７０Ａ及び第２のフレキシブルフラットケーブル７０Ｂは、センサーユニット３０の長手方向において隣接して設けられている。第１のフレキシブルフラットケーブル７０Ａは、センサーユニット３０の長手方向の端部に配置されている。第２のフレキシブルフラットケーブル７０Ｂは、第１のフレキシブルフラットケーブル７０Ａに対してセンサーユニット３０の長手方向の内側に配置されている。センサーユニット３０は、制御部６０からの指令信号に従って読取動作を行い、原稿の画像を読み取った画像信号を、回路基板３９及び回路基板４０（図３参照）を経由して制御部６０に出力する。
【００１６】
次に、センサーユニット３０の詳細な構成について説明する。
【００１７】
図３に示すように、センサーユニット３０は、センサーモジュール３１と、フレーム３２と、保持部材３３と、固定部材３４とを有する。
【００１８】
センサーモジュール３１は、主走査方向に細長く延びる矩形箱状をなしており、センサーモジュール３１の上面は原稿台２１に載置された原稿を読み取る読取面３０Ａとなっている。センサーモジュール３１の読取面３０Ａには、センサーモジュール３１の内部に設けられた、ガラス板２７を介して原稿に光を照射する線状光源が発する光と、原稿から反射した光を受光して原稿の画像を読み取る受光素子へと向かう光とが通過可能な透光部が設けられている。
【００１９】
フレーム３２は、主走査方向に細長く延びている。フレーム３２は、鉛直上方に開口した凹部３５を有し、凹部３５がフレーム３２の長手方向の全域に亘って延びている。フレーム３２の凹部３５は、長手方向と交差する断面形状がＵ字状をなしている。フレーム３２の凹部３５は、センサーモジュール３１を収容している。センサーモジュール３１の長手方向の両端部には、凸状の係合部３１Ａが設けられている。これらの係合部３１Ａがフレーム３２の長手方向の両端部から垂直に立設された側壁３２Ａの係合孔３２Ｂに対して係合することにより、センサーモジュール３１がフレーム３２に対して取り付けられている。なお、係合孔３２Ｂは、鉛直方向Ｚに延びる長孔となっている。また、センサーモジュール３１の長手方向の両端部には、略Ｕ字状のカバー部材３１Ｂが上方から覆うように設けられている。この場合、センサーモジュール３１の読取面３０Ａとは反対側の面である裏面がフレーム３２の凹部３５の底面と対向しており、読取面３０Ａがフレーム３２の凹部３５の開口から露出している。すなわち、フレーム３２は、センサーモジュール３１における読取面３０Ａとは反対側の面である裏面を支持している。センサーモジュール３１の裏面における長手方向の両端部とフレーム３２の凹部３５の底面との間にはコイルバネ３６が設けられている。コイルバネ３６は、フレーム３２の凹部３５の底面に形成された台座３７に固定されている。センサーモジュール３１は、コイルバネ３６によってフレーム３２に対して鉛直方向Ｚに沿って移動可能に支持されており、センサーユニット３０が支持部材５０に沿って副走査方向に移動する途中で、センサーモジュール３１の読取面３０Ａがコイルバネ３６からの付勢力に基づいて原稿台２１に対して下方から密着する。
【００２０】
保持部材３３は、主走査方向に細長く延びている。保持部材３３は、上方が開口した凹部３８を有し、凹部３８が保持部材３３の長手方向の全域に亘って延びている。保持部材３３の凹部３８は、第１の回路基板３９及び第２の回路基板４０を収容している。第１の回路基板３９は、第１のフレキシブルフラットケーブル７０Ａが接続される第１の接続部３９Ａ、第２のフレキシブルフラットケーブル７０Ｂが接続される第２の接続部３９Ｂ、第２の回路基板４０に設けられた接続部４０Ａが接続される第３の接続部３９Ｃを有する。第１の接続部３９Ａ、第２の接続部３９Ｂ、及び、第３の接続部３９Ｃは、センサーモジュール３１の読取面３０Ａと垂直な方向から視た場合、センサーモジュール３１及びフレーム３２と重なる位置に配置されている。
【００２１】
図７及び図８に示すように、第１のフレキシブルフラットケーブル７０Ａは、第１の接続部３９Ａに接続される端部を基端として、先端に向けて保持部材３３の短手方向に沿うように延びるとともに、保持部材３３の裏面において保持部材３３の長手方向に沿うように折り返される。また、第１のフレキシブルフラットケーブル７０Ａは、保持部材３３の長手方向の端部において保持部材３３の短手方向に沿うように再び折り返され、保持部材３３の下方に導出される。
【００２２】
また、第２のフレキシブルフラットケーブル７０Ｂは、第２の接続部３９Ｂに接続される端部を基端として、先端に向けて保持部材３３の長手方向に沿うように延びるとともに、保持部材３３の長手方向の端部において保持部材３３の短手方向に沿うように折り返され、保持部材３３に設けられた導出口３３Ｂを通じて保持部材３３の下方に導出される。
【００２３】
各フレキシブルフラットケーブル７０Ａ，７０Ｂは、第１の部位７１ａ、７１ｂと、第２の部位７２ａ，７２ｂと、第３の部位７３ａ，７３ｂと、を含んでいる。第１の部位７１ａ，７１ｂは、センサーユニット３０の移動方向に沿う第１の方向Ｆ１に延びている。第２の部位７２ａ，７２ｂは、第１の部位７１ａ，７１ｂに接続されて第１の方向Ｆ１とは反対側の第２の方向Ｆ２に向けて湾曲している。第３の部位７３ａ，７３ｂは、第２の部位７２ａ，７２ｂに接続されて第２の方向Ｆ２に延びている。
【００２４】
この場合、保持部材３３は、各フレキシブルフラットケーブル７０Ａ，７０Ｂのうち、保持部材３３から導出された導出部７１Ａ，７１Ｂを下方から支持する平板状の支持部３３Ｃを有している。支持部３３Ｃは、各フレキシブルフラットケーブル７０Ａ，７０Ｂの導出部７１Ａ，７１Ｂが導出される位置である保持部材３３の第２の方向Ｆ２側の部分を基端として、先端が保持部材３３の短手方向の中央領域に至るまで延びている。ここで、保持部材３３の短手方向の中央領域は、保持部材３３の短手方向の中心位置から所定距離の範囲内に位置する領域を指している。また、保持部材３３の支持部３３Ｃの先端は、保持部材３３の短手方向の中央領域において各フレキシブルフラットケーブル７０Ａ，７０Ｂの導出部７１Ａ，７１Ｂの第２の部位７２ａ，７２ｂの湾曲の基端となる位置に配置されている。すなわち、保持部材３３の導出口３３Ｂは、センサーユニット３０の移動方向における中心位置よりも第２の方向Ｆ２側の位置に配置されている。そのため、各フレキシブルフラットケーブル７０Ａ，７０Ｂの導出部７１Ａ，７１Ｂは、センサーユニット３０の短手方向の中央領域よりも第２の方向Ｆ２側の位置から導出されており、センサーユニット３０の短手方向の中央領域に至るまで支持部３３Ｃによって支持されている。
【００２５】
なお、保持部材３３の長手方向の長さは、同方向におけるフレーム３２の長さの半分程度である。そして、保持部材３３の長手方向の第１の端部がフレーム３２の長手方向の端部に位置するとともに、保持部材３３の長手方向の第２の端部がフレーム３２の長手方向の中央領域に位置している。保持部材３３の長手方向の第１の端部には、フレーム３２と保持部材３３とを固定する固定部材３４が固定される被固定部３４Ａが設けられている。本例では、固定部材３４が固定ボルトであり、被固定部３４Ａは、固定ボルトが螺合する雌ねじ孔を有する凸部である。被固定部３４Ａは、保持部材３３の凹部３５の底面から鉛直方向Ｚに沿う上方向に突出しており、先端がフレーム３２の裏面における固定ボルトの挿通孔３２Ｃの孔縁に対して当接している。
【００２６】
また、図４〜図６に示すように、被固定部３４Ａに固定される固定部材３４は、フレーム３２の長手方向においてセンサーモジュール３１とフレーム３２とが重なる位置から外れた位置に配置されている。すなわち、固定部材３４は、センサーモジュール３１の読取面３０Ａと垂直な方向から視た場合、センサーモジュール３１とフレーム３２とが重なる位置から外れた位置に配置されている。
【００２７】
保持部材３３の長手方向の第２の端部には、保持部材３３の長手方向に突出した係合部３３Ａが設けられている。係合部３３Ａは、軸受け部材４１に設けられた被係合部４１Ａに対して保持部材３３の長手方向において係合している。軸受け部材４１の下面には、雌ねじ孔４１Ｂ（図７参照）が設けられており、この雌ねじ孔４１Ｂに対して固定ボルト４２（図４参照）が下方から螺合することにより、軸受け部材４１がフレーム３２に対して固定されている。すなわち、係合部３３Ａは、フレーム３２におけるセンサーモジュール３１を保持する保持面とは反対側の面である裏面に対して保持部材３３の長手方向に係合している。
【００２８】
軸受け部材４１の底面には軸受凹部４３が設けられており、この軸受凹部４３を支持部材５０が下方から支持している。そして、支持部材５０の上面が軸受凹部４３の底面に対して摺動することにより、センサーユニット３０が主走査方向に位置決めされつつ、支持部材５０に沿って副走査方向に移動する。
【００２９】
次に、本実施の形態の複合機１１の作用について説明する。
【００３０】
一般に、センサーユニット３０に接続されたフレキシブルフラットケーブル７０Ａ，７０Ｂを着脱交換する際には、まずフレーム３２からセンサーモジュール３１を取り外す。そして、固定部材３４によるフレーム３２と保持部材３３との固定を解除して、回路基板３９の第１の接続部３９Ａ及び第２の接続部３９Ｂに対してアクセスできるようにする。
【００３１】
これに対し、本実施の形態では、フレーム３２と保持部材３３とを固定する固定部材３４が、センサーユニット３０の読取面３０Ａと垂直な方向から視た場合、センサーモジュール３１とフレーム３２とが重なる位置から外れた位置に配置されている。そのため、フレーム３２からセンサーモジュール３１を取り外すことなく、固定部材３４によるフレーム３２と保持部材３３との固定を解除した後、保持部材３３を長手方向に沿う方向に移動させて保持部材３３の係合部３３Ａと軸受け部材４１の被係合部４１Ａとの係合を解除する。これにより、フレキシブルフラットケーブル７０Ａ，７０Ｂの着脱交換を行うことが可能となる。また、新たなフレキシブルフラットケーブル７０Ａ，７０Ｂを保持部材３３に装着した後には、保持部材３３の係合部３３Ａと軸受け部材４１の被係合部４１Ａとを係合させることにより、固定部材３４によるフレーム３２と保持部材３３との固定を安定して行うことができる。
【００３２】
特に、本実施の形態では、支持部２６Ａにおける副走査方向の端部には切り欠き部２６ａが形成されている。そして、センサーユニット３０がホームポジションに配置された状態で、後述する固定部材３４が切り欠き部２６ａを通じて鉛直方向Ｚの上方に露出している。そのため、固定部材３４は、センサーユニット３０が支持部材５０に支持された状態で、読取面３０Ａと垂直な方向から固定及び解除が可能である。
【００３３】
また、本実施の形態では、保持部材３３からのフレキシブルフラットケーブル７０Ａ，７０Ｂの引き回しを適正化することにより、複合機１１の小型化が図られている。
【００３４】
より詳細には、図９及び図１０に示すように、比較例では、フレキシブルフラットケーブル７０Ａ，７０Ｂが保持部材３３の底面を這うように延びた後、保持部材３３の移動方向の前側となる側壁を鉛直方向Ｚに沿う上方向に伝って、保持部材３３の高さ方向の中央位置から下方に垂れ下がっている。この場合、フレキシブルフラットケーブル７０Ａ，７０Ｂは、保持部材３３の側壁から水平方向に大きく撓んだ上で、保持部材３３の移動方向の後側に向けて折り返されることとなる。そのため、保持部材３３が支持部材５０の長手方向の端部に配置されたとき、支持部材５０の端部を起点としてフレキシブルフラットケーブル７０Ａ，７０Ｂが張り出す度合いＬ１が大きくなる。その結果、複合機１１の大型化が不可避となったり、フレキシブルフラットケーブル７０Ａ，７０Ｂが張り出す度合いＬ１を考慮して原稿台２１のサイズを小さくしたりする必要があった。
【００３５】
この点、図１１及び図１２に示すように、本実施の形態では、フレキシブルフラットケーブル７０Ａ，７０Ｂが保持部材３３の底面の中央領域から下方に垂れ下がっている。この場合、フレキシブルフラットケーブル７０Ａ，７０Ｂは、保持部材３３の底面の中央領域から水平方向に撓んだとしても、上述した比較例と比較して、保持部材３３の移動方向の前側となる側壁から張り出す度合いは小さくなる。その結果、複合機１１のサイズに対する原稿台２１のサイズの相対比率が高められ、スペースの有効利用が図られる。
【００３６】
上記実施の形態によれば、以下のような効果を得ることができる。
【００３７】
（１）固定部材３４は、センサーモジュール３１の読取面３０Ａと垂直な方向から視た場合、センサーモジュール３１とフレーム３２とが重なる位置から外れた位置に配置されている。そのため、フレーム３２からセンサーモジュール３１を取り外すことなく、固定部材３４によるフレーム３２と保持部材３３との固定を解除して、保持部材３３に保持された第１の回路基板３９に対するフレキシブルフラットケーブル７０Ａ，７０Ｂの着脱交換を行うことができる。
【００３８】
（２）固定部材３４は、センサーモジュール３１の読取面３０Ａと垂直な方向から視た場合、センサーモジュール３１の長手方向においてセンサーモジュール３１から外れた位置に配置されている。そのため、固定部材３４がセンサーモジュール３１による画像の読取精度に影響を及ぼすことを抑えることができる。
【００３９】
（３）固定部材３４は、センサーユニット３０が支持部材５０に支持された状態で、読取面３０Ａと垂直な方向から固定及び解除が可能である。そのため、固定部材３４を固定及び解除する際の操作性を向上することができる。
【００４０】
（４）保持部材３３の長手方向の第１の端部は、固定部材３４が固定される被固定部３４Ａを有し、保持部材３３の長手方向の第２の端部は、フレーム３２におけるセンサーモジュール３１を保持する保持面とは反対側の面である裏面に対して保持部材３３の長手方向に係合する係合部３３Ａを有する。そのため、フレキシブルフラットケーブル７０Ａ，７０Ｂの着脱交換に際し、保持部材３３をフレーム３２に対して容易に仮固定することができる。
【００４１】
（５）第１の回路基板３９は、フレキシブルフラットケーブル７０Ａ，７０Ｂが接続される接続部３９Ａ，３９Ｂを有し、接続部３９Ａ，３９Ｂは、センサーモジュール３１の読取面３０Ａと垂直な方向から視た場合、センサーモジュール３１及びフレーム３２と重なる位置に配置されている。そのため、センサーユニット３０の設置スペースを削減することができる。
【００４２】
（６）フレキシブルフラットケーブル７０Ａ，７０Ｂは、保持部材３３の外側に導出した導出部７１Ａ，７１Ｂを有し、導出部７１Ａ，７１Ｂは、センサーユニット３０の移動方向に沿う第１の方向Ｆ１に延びる第１の部位７１ａ，７１ｂと、第１の部位７１ａ，７１ｂに接続されて第１の方向Ｆ１とは反対側の第２の方向Ｆ２に向けて湾曲する第２の部位７２ａ，７２ｂと、第２の部位７２ａ，７２ｂに接続されて第２の方向Ｆ２に延びる第３の部位７３ａ，７３ｂとを含む。そのため、フレキシブルフラットケーブル７０Ａ，７０Ｂがセンサーユニット３０の移動を干渉することが抑制できる。
【００４３】
（７）保持部材３３は、フレキシブルフラットケーブル７０Ａ，７０Ｂの導出部７１Ａ，７１Ｂを導出する導出口３３Ｂを有し、導出口３３Ｂは、センサーユニット３０の移動方向における中心位置よりも第２の方向Ｆ２側の位置に配置されている。そのため、センサーユニット３０が支持部材５０の長手方向の端部に配置されたときに、フレキシブルフラットケーブル７０Ａ，７０Ｂの導出部７１Ａ，７１Ｂがセンサーユニット３０の移動範囲からはみ出す度合いが小さくなり、複合機１１の設置スペースを抑えることができる。
【００４４】
（８）保持部材３３は、導出口３３Ｂから導出されたフレキシブルフラットケーブル７０Ａ，７０Ｂの導出部７１Ａ，７１Ｂを下方から支持する支持部３３Ｃを有し、支持部３３Ｃは、センサーユニット３０の移動方向における中心付近となる位置まで延びている。そのため、センサーユニット３０の移動時におけるフレキシブルフラットケーブル７０Ａ，７０Ｂの引き回しの姿勢が安定するため、フレキシブルフラットケーブル７０Ａ，７０Ｂがセンサーユニット３０の移動を干渉することがより一層抑制できる。
【００４５】
なお、上記実施の形態は以下に示す変更例のように変更してもよい。さらに、上記実施の形態および以下に示す変更例を適宜組み合わせたものを、更なる変更例としてもよいし、以下に示す変更例同士を適宜組み合わせたものを、更なる変更例としてもよい。
【００４６】
・上記実施の形態において、保持部材３３の支持部３３Ｃは、センサーユニット３０の移動方向における中心付近から外れた位置まで延びてもよい。この場合、保持部材３３の支持部３３Ｃは、センサーユニット３０の移動方向における中心位置を基準として同方向において接続部３９Ａ，３９Ｂに対して近接して配置されてもよいし、同方向において接続部３９Ａ，３９Ｂから離間して配置されてもよい。
【００４７】
・上記実施の形態において、保持部材３３の支持部３３Ｃは、水平方向に対して傾斜して延びるように配置されてもよい。
【００４８】
・上記実施の形態において、保持部材３３の支持部３３Ｃは、保持部材３３の長手方向の中央寄りの位置を起点として延びるように配置されてもよい。
【００４９】
・上記実施の形態において、第１の回路基板３９を保持部材３３の外装面に実装してもよい。この場合、フレキシブルフラットケーブル７０Ａ，７０Ｂは保持部材３３の外部において第１の回路基板３９に接続されるため、保持部材３３は、フレキシブルフラットケーブル７０Ａ，７０Ｂを導出するための導出口を省略してもよい。また、第１の回路基板３９の接続部３９Ａ，３９Ｂは、センサーモジュール３１の読取面３０Ａと垂直な方向から視た場合、センサーモジュール３１及びフレーム３２の少なくとも一方と重ならない位置に配置されてもよい。
【００５０】
・上記実施の形態において、保持部材３３の係合部３３Ａは、軸受け部材４１を介することなく、フレーム３２に対して保持部材３３の長手方向に直接係合してもよい。
【００５１】
・上記実施の形態において、保持部材３３の長手方向の第２の端部において、フレーム３２に対して保持部材３３の長手方向に係合する係合部３３Ａを省略してもよい。
【００５２】
・上記実施の形態において、固定部材３４は、センサーモジュール３１の読取面３０Ａと垂直な方向から視た場合、センサーモジュール３１の移動方向においてセンサーモジュール３１から外れた位置に配置されてもよい。
【００５３】
・上記実施の形態において、固定部材３４は、必ずしも固定ボルトである必要はなく、例えばフック構造により保持部材３３をフレーム３２に対して固定してもよい。
【００５４】
・上記実施の形態において、読取対象は必ずしも原稿である必要はなく、他の媒体を採用してもよい。
【００５５】
・上記実施の形態において、画像読取装置は、印刷装置１２とスキャナー装置１３とを備えた複合機１１に限らず、原稿を搬送する原稿搬送部を備えたスキャナー装置であってもよいし、フラットベッド型のスキャナー装置であってもよい。
【００５６】
以下、前記実施の形態および変更例から把握される技術思想を、効果と共に記載する。
【００５７】
［思想１］
センサーユニットと、前記センサーユニットを移動可能に支持する支持部材とを備え、前記センサーユニットは、媒体の画像を読み取る読取面を有するセンサーモジュールと、前記センサーモジュールにおける前記読取面とは反対側の面である裏面を支持するフレームと、通信線が接続される回路基板を保持する保持部材と、前記保持部材を前記フレームに固定する固定部材とを有し、前記固定部材は、前記センサーモジュールの前記読取面と垂直な方向から視た場合、前記センサーモジュールと前記フレームとが重なる位置から外れた位置に配置されている。
【００５８】
この構成によれば、フレームからセンサーモジュールを取り外すことなく、固定部材によるフレームと保持部材との固定を解除して、保持部材に保持された回路基板に対する通信線の着脱交換を行うことができる。
【００５９】
［思想２］
［思想１］に記載の画像読取装置において、前記センサーモジュールは、前記センサーユニットの移動方向と交差する方向に長く延びており、前記固定部材は、前記センサーモジュールの前記読取面と垂直な方向から視た場合、前記センサーモジュールの長手方向において前記センサーモジュールから外れた位置に配置されているとよい。
【００６０】
この構成によれば、固定部材がセンサーモジュール３１による画像の読取精度に影響を及ぼすことを抑えることができる。
【００６１】
［思想３］
［思想１］または［思想２］に記載の画像読取装置において、前記固定部材は、前記センサーユニットが前記支持部材に支持された状態で、前記読取面と垂直な方向から固定及び解除が可能であるとよい。
【００６２】
この構成によれば、固定部材を固定及び解除する際の操作性を向上することができる。
【００６３】
［思想４］
［思想１］〜［思想３］のいずれか一項に記載の画像読取装置において、前記保持部材は、前記センサーユニットの移動方向と交差する方向に長く延びており、前記保持部材の長手方向の第１の端部は、前記固定部材が固定される被固定部を有し、前記保持部材の長手方向の第２の端部は、前記フレームにおける前記センサーモジュールを保持する保持面とは反対側の面である裏面に対して前記保持部材の長手方向に係合する係合部を有するとよい。
【００６４】
この構成によれば、通信線の着脱交換に際し、保持部材をフレームに対して容易に仮固定することができる。
【００６５】
［思想５］
［思想１］〜［思想４］のいずれか一項に記載の画像読取装置において、前記回路基板は、前記フレームと前記保持部材との間に配置され、前記通信線が接続される接続部を有し、前記接続部は、前記センサーモジュールの前記読取面と垂直な方向から視た場合、前記センサーモジュール及び前記フレームと重なる位置に配置されているとよい。
【００６６】
この構成によれば、センサーユニットの設置スペースを削減することができる。
【００６７】
［思想６］
［思想５］に記載の画像読取装置において、前記通信線は、前記保持部材の外側に導出した導出部を有し、前記導出部は、前記センサーユニットの移動方向に沿う第１の方向に延びる第１の部位と、前記第１の部位に接続されて前記第１の方向とは反対側の第２の方向に向けて湾曲する第２の部位と、前記第２の部位に接続されて前記第２の方向に延びる第３の部位とを含むとよい。
【００６８】
この構成によれば、通信線がセンサーユニットの移動を干渉することが抑制できる。
【００６９】
［思想７］
［思想６］に記載の画像読取装置において、前記保持部材は、前記通信線の前記導出部を導出する導出口を有し、前記導出口は、前記センサーユニットの移動方向における中心位置よりも前記第２の方向側の位置に配置されているとよい。
【００７０】
この構成によれば、センサーユニットが支持部材の長手方向の端部に配置されたときに、通信線の導出部がセンサーユニットの移動範囲からはみ出す度合いが小さくなり、画像読取装置の設置スペースを抑えることができる。
【００７１】
［思想８］
［思想７］に記載の画像読取装置において、前記保持部材は、前記導出口から導出された前記通信線の前記導出部を下方から支持する支持部を有し、前記支持部は、前記センサーユニットの移動方向における中心位置から所定距離の範囲内となる位置まで延びているとよい。
【００７２】
この構成によれば、センサーユニットの移動時における通信線の引き回しの姿勢が安定するため、通信線がセンサーユニットの移動を干渉することがより一層抑制できる。また、通信線が中心位置を基端としているので、通信線が湾曲することにより発生する応力でセンサーユニットが傾くことを抑制できる。
【００７３】
［思想９］
媒体の画像を読み取る読取面を有するセンサーモジュールと、前記センサーモジュールにおける前記読取面とは反対側の面である裏面を支持するフレームと、通信線が接続される回路基板を保持する保持部材と、前記保持部材を前記フレームに固定する固定部材とを有し、前記固定部材は、前記センサーモジュールの前記読取面と垂直な方向から視た場合、前記センサーモジュールと前記フレームとが重なる位置から外れた位置に配置されている。
【００７４】
この構成によれば、フレームからセンサーモジュールを取り外すことなく、固定部材によるフレームと保持部材との固定を解除して、保持部材に保持された回路基板に対する通信線の着脱交換を行うことができる。
【符号の説明】
【００７５】
１１…複合機（画像読取装置の一例）、３０…センサーユニット、３０Ａ…読取面、３１…センサーモジュール、３２…フレーム、３３…保持部材、３３Ａ…係合部、３３Ｂ…導出口、３３Ｃ…支持部、３４…固定部材、３４Ａ…被固定部、３９Ａ…第１の接続部（接続部の一例）、３９Ｂ…第２の接続部（接続部の一例）、５０…支持部材、７０Ａ，７０Ｂ…フレキシブルフラットケーブル（通信線の一例）、７１Ａ，７１Ｂ…導出部、７１ａ，７１ｂ…第１の部位、７２ａ，７２ｂ…第２の部位、７３ａ，７３ｂ…第３の部位、Ｆ１…第１の方向、Ｆ２…第２の方向。
【図１】
2020057865.tif 000003
【図２】
2020057865.tif 000004
【図３】
2020057865.tif 000005
【図４】
2020057865.tif 000006
【図５】
2020057865.tif 000007
【図６】
2020057865.tif 000008
【図７】
2020057865.tif 000009
【図８】
2020057865.tif 000010
【図９】
2020057865.tif 000011
【図１０】
2020057865.tif 000012
【図１１】
2020057865.tif 000013
【図１２】
2020057865.tif 000014